(57)【要約】      （修正有）【課題】衝撃時の周波数変化を防止して振動特性を良好に維持した表面実装発振器を提供する。【解決手段】容器本体の内底面に励振電極６ａから引出電極６ｂの延出した水晶片２の長さ方向の一端部両側を導電性接着剤７ａによって固着し、前記水晶片２の長さ方向の他端部を接着剤７ｂにて固定した表面実装用の水晶振動子において、前記水晶片２は少なくとも長さ方向の一辺にスリット９によって振動領域とは分離された補助枠１０を有し、前記スリット９の一端部は前記引出電極６ｂの延出した水晶片２の一端部側として前記補助枠１０が連結した閉塞端とし、前記スリット９の他端部は前記水晶片２の他端部側として開放端とし、前記導電性接着剤７ａは前記スリット９の閉塞端から一端面側に離間した前記水晶片２の一端部両側を固着し、前記スリット９の開放端となる前記連結部の他端部を接着剤７ｂにて固着した構成とする。【選択図】図１
2010136174.tif 000002
【特許請求の範囲】
【請求項１】
容器本体の内底面に励振電極から引出電極の延出した水晶片の長さ方向の一端部両側を導電性接着剤によって固着し、前記水晶片の長さ方向の他端部を接着剤にて固定した表面実装用の水晶振動子において、前記水晶片は少なくとも長さ方向の一辺にスリットによって振動領域とは分離された補助枠を有し、前記スリットの一端部は前記引出電極の延出した水晶片の一端部側として前記補助枠が連結した閉塞端とし、前記スリットの他端部は前記水晶片の他端部側として開放端とし、前記導電性接着剤は前記スリットの閉塞端から前記水晶片の一端面側に離間した前記水晶片の一端部両側を固着し、前記スリットの開放端となる前記連結部の他端部を接着剤にて固着したことを特徴とする表面実装用の水晶振動子。
【請求項２】
請求項１において、前記水晶片は少なくとも長さ方向の両辺にスリットによって振動領域とは分離された補助枠を有する表面実装用の水晶振動子。
【請求項３】
請求項１において、前記スリットはコ字状として前記水晶片の振動領域を取り囲み、前記コ字状の先端側開放端を前記水晶片の一端部とした表面実装用の水晶振動子。
【請求項４】
請求項１において、前記水晶片はＡＴカットし、結晶軸（ＸＹＺ）のＸ軸方向を長さ方向とする表面実装用の水晶振動子。
【発明の詳細な説明】
【技術分野】
【０００１】
本発明は表面実装用の水晶振動子（以下、表面実装振動子とする）とし、特に衝撃に対する周波数偏差を維持した表面実装振動子に関する。
【背景技術】
【０００２】
（発明の背景）
表面実装振動子は小型・軽量であることから、例えば携帯型の電子機器に周波数や時間の基準源として内蔵される。このようなものの一つに、衝撃時における水晶片２の衝突によっての振動周波数の変化を抑制して周波数偏差を規格内に維持した表面実装振動子がある。
【０００３】
（従来技術の一例）第４図は一従来例を説明する水晶振動子の図で、同図（ａ）は断面図、同図（ｂ）はカバーを除く平面図、同図（ｃ）は水晶片の平面図である。
【０００４】
表面実装振動子は、容器本体１に水晶片２を収容して金属カバー３を被せ、水晶片２を密閉封入してなる。容器本体１は底壁と枠壁とを有する凹状とした積層セラミックからなり、内底面には一端部両側に一対の水晶端子４を有する。容器本体１の外底面の４角部には実装端子５を有し、例えば一組の対角部の実装端子５は水晶端子４と電気的に接続する。そして、他組の対角部の実装端子５はアース端子として金属カバー３と電気的に接続する。
【０００５】
水晶片２は例えばＡＴカットからなるＸ軸方向に長い平面視矩形状とし、両主面の励振電極６ａから一端部両側に引出電極６ｂを延出する。水晶片２の引出電極６ｂの延出した一端部両側は、容器本体１の内底面の水晶端子４上に位置決めされ、導電性接着剤７ａによって固着する。そして、水晶片２の他端部は例えば絶縁性の接着剤７ｂによって固定（固着）する。この場合は、水晶片２の他端部は例えばセラミックコートによる枕台８上に固着される。
【０００６】
金属カバー３は、容器本体１の開口端面となる枠壁上面にシーム溶接によって接合され、水晶片２を密閉封入する。なお、容器本体１の枠壁上面には図示しない金属膜が設けられ、さらに溶接用の金属リングが設けられて、金属カバー３が接合される。
【０００７】
このようなものでは、水晶片２の他端部が接着剤７ｂによって固定されるので、衝撃時における水晶片２の他端部の揺動が抑えられる。したがって、水晶振動子の瞬間的な周波数変化を防止して周波数偏差規格を満足する。また、水晶片２の他端部の内底面に対する繰り返しの衝突を回避できて、所謂マイクロフォニック雑音をも軽減する。
【特許文献１】特開２００４−４８３８４号公報
【発明の開示】
【発明が解決しようとする課題】
【０００８】
（従来技術の問題点）
しかしながら、上記構成の水晶振動子では、水晶片２の他端部を接着剤で固着するので、所謂両端保持とする。したがって、例えば容器本体１との膨張係数差による応力が水晶片２の長さ方向に生じて振動周波数や周波数温度特性の変化を含む振動特性を悪化させる。特に、ここでは、振動の変位方向であるＸ軸を水晶片２の長さ方向として両端保持とするので、振動特性を悪化させる問題があった。
【０００９】
（発明の目的）
本発明は衝撃時の周波数変化を防止して振動特性を良好に維持した表面実装発振器を提供することを目的とする。
【００１０】
本発明は、特許請求の範囲（請求項１）に示したように、容器本体の内底面に励振電極から引出電極の延出した水晶片の長さ方向の一端部両側を導電性接着剤によって固着し、前記水晶片の長さ方向の他端部を接着剤にて固定した表面実装用の水晶振動子において、前記水晶片は少なくとも長さ方向の一辺にスリットによって振動領域とは分離された補助枠を有し、前記スリットの一端部は前記引出電極の延出した水晶片の一端部側として前記補助枠が連結した閉塞端とし、前記スリットの他端部は前記水晶片の他端部側として開放端とし、前記導電性接着剤は前記スリットの閉塞端から前記水晶片の一端面側に離間した前記水晶片の一端部両側を固着し、前記スリットの開放端となる前記連結部の他端部を接着剤にて固着した構成とする。
【発明の効果】
【００１１】
このような構成であれば、引出電極の延出した水晶片の長さ方向の一端部両側と、水晶片の長さ方向の一辺に設けた補助枠の他端部とが固着されて固定端となる。換言すると、水晶片の一端部両側の片側となる補助枠の一端部を共通として、水晶片の長さ方向の一端部両側（幅方向の両端部）と、水晶片の補助枠における長さ方向の両端部とが固定端となる。
【００１２】
そして、水晶片の一端部両側が固着される固定端はスリットの閉塞端よりも水晶片の一端面側として、補助枠の両端部は固着される。したがって、水晶片の一端部両側を固定端として衝撃があったとすると、補助枠の他端部は固着されているので揺動はせず、いわば固定板となる。
【００１３】
この場合、補強枠（固定板）と連結したスリットの閉塞端領域を固定端とし、水晶片のスリットで分離された振動領域の他端部は揺動する。したがって、スリットの閉塞端領域（固定端）から水晶片の他端部までの距離は短くなるので、揺れ幅も抑制して例えば容器本体の内底面への衝突を防止する。
【００１４】
そして、水晶片の振動領域となる他端部はスリットによって従来同様に自由端となるので、例えば膨張係数差による応力を生ずることなく振動特性を良好に維持する。
【００１５】
（実施態様項）
本発明の請求項２では、請求項１において、前記水晶片は少なくとも長さ方向の両辺にスリットによって振動領域とは分離された補助枠を有する。したがって、請求項１での効果をさらに高める。
【００１６】
同請求項３では、請求項１において、前記スリットはコ字状として前記水晶片の振動領域を取り囲み、前記コ字状の先端側開放端を前記水晶片の一端部とする。これにより、請求項２と同様の効果を奏し、振動領域の他端部が補助枠によって覆われるので、例えば製造中での破損等を防止できる。
【００１７】
同請求項４では、請求項１において、前記水晶片２はＡＴカットし、結晶軸（ＸＹＺ）のＸ軸方向を長さ方向とする。これにより、振動の変位方向を長さ方向とするので、振動特性を良好にする効果を顕著にする。
【発明を実施するための最良の形態】
【００１８】
（第１実施形態）
第１図及び第２図は本発明の第１実施形態を説明する表面実装振動子の図で、第１同図は特に固着状態を示す水晶片の平面図、第２図（ａｂ）は従来例と比較した揺動状態を示す模式的な水晶片の側面図である。なお、前従来例と同一部分には同番号を付与してその説明は簡略又は省略する。
【００１９】
表面実装振動子は、前述したように、底壁と枠壁とを有する凹状とした積層セラミックからなる容器本体１に水晶片２を収容し、金属カバー３を接合して密閉封入する。水晶片２はＡＴカットの平面視矩形状とし、振動の変位方向であるＸ軸を長さ方向とする。
【００２０】
そして、第１実施形態では、水晶片２は長さ方向の一辺に沿って例えばエッチング加工としたスリット９によって、振動領域とは分離された補助枠１０を有する。スリット９の一端部は引出電極６ｂの延出した水晶片２の一端部側とし、補助枠１０が連結した閉塞端とする。スリット９の他端部は水晶片２の他端部側として開放端とする。要するに、水晶片２は、平面視矩形状とした水晶片本体２ａと、水晶片本体２ａの一端部の一側面に、一端部の突出した連結部１０ａが結合した補助枠１０とからなる。
【００２１】
ここで、励振電極６ａから延出した一端部両側の引出電極６ｂは、スリット９の閉塞端から離間して水晶片２の一端部側（一端面側）とする。すなわち、引出電極６ｂはスリット９よりも一端面側の下方とする。そして、一端部両側の引出電極６ｂはいずれも角部辺縁に達して反対面に折り返され、補強枠１０側となる片側の引出電極幅を他側の引出電極６ｂよりも大きくし、中心線に対して非対称とする。
【００２２】
そして、導電性接着剤７ａはスリット９の閉塞端から一端面側に離間して下方となる、引出電極６ｂの延出した水晶片２の一端部両側を固着する。また、スリット９の開放端となる補助枠１０の他端部を絶縁性の接着剤７ｂにて固着する。
【００２３】
このような構成であれば、補助枠１０の両端部は導電性接着剤７ａ及び接着剤７ｂによって固着されて固定端となり、補助枠１０は言わば固定板となる。そして、水晶片本体２ａの一端部の一側面には補助枠１０の連結部１０ａが突出して結合し、引出電極６ｂの延出した水晶片２の一端面を含めた一端部両側が固着される。
【００２４】
したがって、外部衝撃があった場合、本実施形態のときは、一端部両側の領域が固着されていても、水晶片２は固定板としての補助枠１０と水晶片本体２ａとのスリット９の閉塞点を支点Ａとした揺動となる「第２図（ａ）」。これに対し、補助枠１０のない従来例のときは、水晶片２の一端部を支点Ｂとした揺動となる「第２図（ｂ）」。
【００２５】
したがって、スリット９にて囲まれた水晶片２の振動領域における他端部の上下方向での衝撃に対する揺動範囲は、力学的な観点から、本実施形態「第２図（ａ）」の方が従来例「同図（ｂ）」よりも小さくなる。すなわち、本実施形態では、スリット９の閉塞端から水晶片２の振動領域の他端部までの距離は短くなるので、揺れ幅も抑制される。これにより、水晶片２における振動領域の他端部は容器本体１の内底面やカバーに対する衝突を避けられる。
【００２６】
（第２実施形態）
第３図は本実施例の第２実施形態を説明する表面実装振動子の図で、同図（ａｂ）ともに水晶片の平面図である。なお、第１実施形態と同一部分の説明は省略又は簡略する。
【００２７】
第２実施形態では、第１実施形態でのスリット９で分離された補助枠１０を水晶片２の長さ方向の両辺に沿って設ける「第３図（ａ）」。さらには、両辺の補助枠１０を他端部側で連結し、スリット９をコ字状とする。この場合、スリットの先端開放端が水晶片２の一端部となる「第３図（ｂ）」。
【００２８】
そして、いずれの場合でも、水晶片２の引出電極６ｂはいずれもスリット９の下方として形成され、中心線に対して対称とする。そして、前述同様に、スリット９の下方となる水晶片２の一端面側とした、引出電極６ｂの延出した水晶片２の一端部両側が導電性接着剤７ａによって固着される。そして、補助枠１０の他端部が絶縁性の接着剤７ｂによって固着される「第３図（ａ）」。但し、スリットをコ字状とした場合は、コ字状の他端部となる連結棒の中央領域が接着剤７ｂによって固着される。
【００２９】
このような構成であっても、第１実施形態と同様に、力学的な観点から、スリット９の閉塞端から水晶片２の振動領域の他端部までの距離は短くなるので、振動領域（水晶片本体２ａ）の他端部での揺れ幅も抑制される。そして、ここでは、水晶片２の長さ方向に沿った両側面に補助枠１０を設けるのでその効果も顕著になる。また、スリット９をコ字状とした場合は、水晶片本体２（振動領域）の他端部が補助枠１０によって覆われるので、製造工程中での治具等に対する衝突を避けて破損を防止できる。
【００３０】
（他の事項）
上記実施形態では、補助枠１０の他端部は絶縁性の接着剤によって固着したが、製造上の観点から、水晶片２の一端部両側を固着する導電性接着剤７ａであってもよい。また、水晶片２のみを密閉封入した水晶振動子として説明したが、水晶片２とともに発振回路を形成する図示しないＩＣチップを収容した場合であっても同様に適用でき、これを排除するものではない。
【図面の簡単な説明】
【００３１】
【図１】本発明の第１実施形態を説明する表面実装振動子の図で、特に固着状態を示す水晶片の平面図である。
【図２】本発明の一実施形態を説明する図で、同図（ａｂ）ともに従来例と比較した揺動状態を示す模式的な水晶片の側面図である。
【図３】本発明の第２実施形態を説明する図で、同図（ａｂ）ともに特に固着状態を示す水晶片の平面図である。
【図４】従来例を説明する水晶振動子の図で、同図（ａ）は断面図、同図（ｂ）はカバーを除く平面図、同図（ｃ）は水晶片の平面図である。
【符号の説明】
【００３２】
１  容器本体、２  水晶片、３  カバー、４  水晶端子、５  実装端子、６  電極、７  接着剤、８  枕台、９  スリット、１０  補助枠。
【図２】
2010136174.tif 000003
【図１】
2010136174.tif 000004
【図３】
2010136174.tif 000005
【図４】
2010136174.tif 000006